(57)【特許請求の範囲】
【請求項１】
複数の移動局と、各移動局間の通信を中継し、各移動局の送信権を管理する基地局とを備え、各移動局及び基地局間の通信は、第１の伝送速度による制御チャネル及び前記第１の伝送速度とは異なる第２の伝送速度による通信チャネルを介して所定のフレームを同期させながら無線により送受することにより行われ、前記送信権の要求及び付与は前記制御チャネルを介してランダムアクセスにより行われ、各移動局間の通信は前記通信チャネルを介して行われる通信システムであって、
前記第１伝送速度は前記第２伝送速度の整数倍であり、
前記制御チャネルのフレームはスーパーフレームを構成しており、
前記スーパーフレームを構成するフレーム数は前記整数の整数倍であり、
前記移動局は、前記スーパーフレームを構成する各フレームを受信する毎に、各フレームの前記スーパーフレームにおける順番をカウントしており、
前記移動局は、ランダムアクセスによる前記送信権を要求するフレームを前記制御チャネルを介して前記基地局に送信し、
前記基地局はこれに応答して前記基地局が送信した該要求を許可するフレームを受信し、
前記移動局はさらに、前記該要求を許可するフレームを受信すると、、前記スーパーフレームのカウント値に基づき、前記通信チャネルにおけるフレームの送信タイミングを認識し、該タイミングにおいて、前記通信チャネルにおけるフレームの送信を行うことを特徴とする通信システム。
【請求項２】
所定の基地局との間で第１の伝送速度による制御チャネル及び前記第１の伝送速度とは異なる第２の伝送速度による通信チャネルを介して所定のフレームを同期させながら送受する無線通信手段を備え、前記制御チャネルを介して前記基地局から送信権を取得するとともに、前記通信チャネルを介して他の移動局との間の通信が前記基地局により中継される移動局装置であって、
前記第１伝送速度は前記第２伝送速度の整数倍であり、
前記制御チャネルのフレームはスーパーフレームを構成しており、
前記スーパーフレームを構成するフレーム数は前記整数の整数倍であり、
移動局装置は、前記スーパーフレームを構成する各フレームを受信する毎に、各フレームの前記スーパーフレームにおける順番をカウントしており、
移動局装置は、ランダムアクセスによる前記送信権を要求するフレームを前記制御チャネルを介して前記基地局に送信し、これに応答して前記基地局が送信した該要求を許可するフレームを受信し、その後、前記スーパーフレームのカウント値に基づき、前記通信チャネルにおけるフレームの送信タイミングを認識し、該タイミングにおいて、前記通信チャネルにおけるフレームの送信を行うことを特徴とする移動局装置。
【請求項３】
複数の移動局と、各移動局間の通信を中継し、各移動局の送信権を管理する基地局とを備え、各移動局及び基地局間の通信は、第１の伝送速度による制御チャネル及び前記第１の伝送速度とは異なる第２の伝送速度による通信チャネルを介して所定のフレームを同期させながら無線により送受することにより行われ、前記送信権の要求及び付与は前記制御チャネルを介してランダムアクセスにより行われ、各移動局間の通信は前記通信チャネルを介して行われる通信システムにおける通信方法であって、
前記第１伝送速度は前記第２伝送速度の整数倍であり、
前記制御チャネルのフレームはスーパーフレームを構成しており、
前記スーパーフレームを構成するフレーム数は前記整数の整数倍であり、
前記移動局は、前記スーパーフレームを構成する各フレームを受信する毎に、各フレームの前記スーパーフレームにおける順番をカウントしており、
前記移動局がランダムアクセスによる前記送信権を要求するフレームを前記制御チャネルを介して前記基地局に送信し、
前記基地局がこれに応答して前記基地局が送信した該要求を許可するフレームを受信し、
前記移動局がさらに、前記該要求を許可するフレームを受信すると、前記スーパーフレームのカウント値に基づき、前記通信チャネルにおけるフレームの送信タイミングを認識し、該タイミングにおいて、前記通信チャネルにおけるフレームの送信を行うことを特徴とする通信方法。
【発明の詳細な説明】
【技術分野】
【０００１】
本発明は、複数の移動局と、各移動局間の通信を中継し、各移動局の送信権を管理する基地局とを備えた通信システム、該通信システムに適した移動局装置及び通信方法に関する。
【背景技術】
【０００２】
従来、移動通信システムとして、トランクドシステムのように基地局と複数の移動局を備え、移動局がランダムアクセスという手法を用い、制御チャネルを介して基地局から送信権を取得し、通信チャネルを介して通信を行うようにしたものが知られている（たとえば特許文献１や特許文献２参照）。各移動局及び基地局間の通信は、所定のフレームを所定の遅延量で同期させながら無線で送受することにより行われる。
【０００３】
図３（ａ）及び（ｂ）はこのような従来の移動通信システムの構成例を示す。同図に示すように、この移動通信システムにおいては、複数の移動局３１、及び各移動局３１間の通信を中継し、各移動局３１の送信権を管理する基地局３２を備える。移動局３１及び基地局３２間の通信は、同図（ａ）に示すように４８００［ｂｐｓ］の伝送速度で行われ、又は同図（ｂ）のように９６００［ｂｐｓ］の伝送速度で行われる。
【０００４】
図５（ａ）及び（ｂ）は図３の移動通信システムにおけるランダムアクセス時のフレームのタイミングを示す。図５（ａ）では、図３（ａ）のように、伝送速度が４８００［ｂｐｓ］の通信モードで通信を行う場合のタイミングを示しており、図５（ｂ）では、図３（ｂ）のように、伝送速度が９６００［ｂｐｓ］の通信モードで通信を行う場合のタイミングを示している。４８００［ｂｐｓ］の通信モードの場合、各フレームの長さは８０［ｍｓ］となり、９６００［ｂｐｓ］の通信モードの場合、各フレームの長さは４０［ｍｓ］となる。
【０００５】
図５（ａ）の場合、制御チャネルにおいて、移動局３１は、基地局３２が４８００［ｂｐｓ］の伝送速度で送信するフレーム５５を受信し、ランダムアクセスによる送信が可能であることを確認すると、ランダムアクセスを行うために、フレーム５５のフレーム区間が終了してから４０［ｍｓ］後に、送信権を要求するフレーム５６を送信する。これに応答して、フレーム５６の区間が終了してから４０［ｍｓ］後に基地局３２が送信する要求を許可するフレーム５７を受信すると、移動局３１は、通信チャネルにおいて通信を開始するために、フレーム５７の区間が終了してから４０［ｍｓ］後に、フレーム５８の送信を行う。このようにして、移動局３１は、ランダムアクセスによって、基地局３２から送信権を取得し、送信を行うことができる。図５（ｂ）の場合においても、各フレーム区間が４０［ｍｓ］であること以外は同様にして、ランダムアクセスにより、通信が開始される。
【０００６】
このように、図３（ａ）及び（ｂ）の各同一サイト内では、制御チャネル及び通信チャネルは共に同じ通信モード（伝送速度）で用いられるのが一般的である。
【０００７】
【特許文献１】特開２００６−９３８６９号公報
【特許文献２】特開２００６−１７４１４２号公報
【発明の開示】
【発明が解決しようとする課題】
【０００８】
ここで、同一サイト内において異なる通信モード（伝送速度）を有する基地局を想定してみる。すなわち、２つの通信モードが混在しており、制御チャネルでの通信モード及び通信チャネルでの通信モードが異なる場合である。この場合、通信モードが異なるので、各通信モードのフレーム長や送受信タイミングに応じて、移動局における制御チャネルでの送信タイミングと、通信チャネルでの送信タイミングとが異なるおそれがある。このため、２つの通信モードが混在した通信システムを単純に構成することはできない。
【０００９】
図１（ａ）及び（ｂ）は制御チャネル及び通信チャネルにおいて異なる通信モードで通信を行う場合のものとして考えられる移動通信システムの構成例を示す。同図に示すように、このシステムにおいては、複数の移動局１１、及び各移動局１１間の通信を中継し、各移動局１１の送信権を管理する基地局１２を備える。
【００１０】
この例では、伝送速度が４８００［ｂｐｓ］の通信モード及び伝送速度が９６００［ｂｐｓ］の通信モードが１つのサイトにおいて共存している。このような場合のランダムアクセス時のタイミングとしては、同図（ａ）のように、４８００［ｂｐｓ］の制御チャネルにおいてランダムアクセスを行い、９６００［ｂｐｓ］の通信チャネルにおいて通信を行う場合と、逆に同図（ｂ）のように、９６００［ｂｐｓ］の制御チャネルにおいてランダムアクセスを行い、４８００［ｂｐｓ］の通信チャネルにおいて通信を行う場合が考えられる。
【００１１】
図４（ａ）は図１（ａ）の構成の場合におけるランダムアクセス時のフレームのタイミングを示す。図４（ｂ）及び（ｃ）は図１（ｂ）の構成の場合におけるランダムアクセス時のフレームのタイミングを示す。なお、４８００［ｂｐｓ］の通信モードでは１フレームが８０［ｍｓ］となり、９６００［ｂｐｓ］の通信モードでは１フレームが４０［ｍｓ］となる。
【００１２】
図４（ａ）のタイミングにおいては、制御チャネルにおいて４８００［ｂｐｓ］でランダムアクセスが行われ、通信チャネルにおいて９６００［ｂｐｓ］で通信が行われる。すなわち、移動局１１の動作に着目すると、移動局１１が通信を行うために発信を行う際、制御チャネルにおいて、基地局１２が送信する４８００［ｂｐｓ］のフレーム４１を受信し、ランダムアクセスによる送信が可能であることを確認した後、４０［ｍｓ］後にランダムアクセスにより送信権を要求するフレーム４２を送信する。基地局１２は、このフレーム４２を受信すると、次のフレームタイミングにおいて、どの通信チャネルでの通信を許可するかを示すフレーム４３を送信する。このフレーム４３を受信すると、移動局１１は、フレーム４３によって指定された通信チャネルへ移行し、４０［ｍｓ］後に送信を行う。
【００１３】
この場合、ランダムアクセスを行うタイミングが異なることにより、制御チャネルから通信チャネルへ移行して送信を開始するタイミングが異なることはない。したがって、移動局１１の通信チャネルにおける送信タイミングは制御チャネルでのタイミングを維持していることになり、異なる通信モードの共存が可能となる。
【００１４】
一方、図４（ｂ）及び（ｃ）のタイミングにおいては、制御チャネルにおいて９６００［ｂｐｓ］でランダムアクセスが行われ、通信チャネルにおいて４８００［ｂｐｓ］で通信が行われる。すなわち、移動局１１の動作に着目すると、まず、図４（ｂ）に示すタイミングにおいては、移動局１１が通信を行うために発信を行う際、９６００［ｂｐｓ］の制御チャネルにおいてフレームを受信する。このフレームは４０［ｍｓ］のフレームであるため、通信チャネルの８０［ｍｓ］のフレーム４５のフレーム区間に対して、２つ分が配置される。この２つの制御チャネルのフレームのうちの後半部分４６を受信し、ランダムアクセスによる送信が可能であることを確認すると、移動局１１は４０［ｍｓ］後に、ランダムアクセスにより送信権を要求するフレーム４７を送信する。このフレーム４７を受信すると、基地局１２は、次のフレームタイミングにおいて、どの通信チャネルでの通信を許可するかを示すフレーム４８を送信する。このフレーム４８を受信すると、移動局１１は、フレーム４８により指定された通信チャネルへ移行し、４０［ｍｓ］後に、フレーム４９の送信を行う。
【００１５】
この場合、制御チャネルから通信チャネルへ移行しても、移行の前後において送信タイミングが異なることはない。つまり、移動局１１の通信チャネルにおける送信タイミングは基地局の通信チャネルに対して所定の遅延量となるタイミングを維持している。したがって、この場合には、異なる通信モードが共存することによる問題は生じない。
【００１６】
図４（ｃ）のタイミングにおいては、移動局１１が通信を行うために発信を行う際、９６００［ｂｐｓ］の制御チャネルにおいてフレームを受信する。受信するフレームは、４０［ｍｓ］のフレームであるため、通信チャネルの８０［ｍｓ］のフレーム５０に対して２つ分が配置される。この２つの制御チャネルのフレームのうちの前半部分５１を受信して、ランダムアクセスによる送信が可能であることを確認すると、移動局１１は４０［ｍｓ］後に、ランダムアクセスにより送信権を要求するフレーム５２を送信する。このフレーム５２を受信すると、基地局１２は、次のフレームタイミングにおいて、どの通信チャネルでの通信を許可するかを示すフレーム５３を送信する。このフレーム５３を受信すると、移動局１１は、フレーム５３によって指定された通信チャネルへ移行し、通信チャネルにおける送信タイミングに適合するように、８０［ｍｓ］後に、フレーム５４の送信を行う。この場合、制御チャネルから通信チャネルへ移行したとき、移行の前後において、送信タイミングが異なる。
【００１７】
このように、図４（ｂ）及び（ｃ）は、移動局１１によるランダムアクセスのタイミングに応じて、制御チャネルから通信チャネルへ移行したときの、フレームを送信するタイミングが異なることを示している。しかしながら、移動局１１は、送信権を要求するフレームを送信したタイミングが図４（ｂ）又は（ｃ）のタイミングのいずれであるかがわからないので、通信チャネルへ移行したときのフレームの送信タイミングを認識することができない。
【００１８】
以上のように、制御チャネルにおいて９６００［ｂｐｓ］でランダムアクセスを行い、通信チャネルにおいて４８００［ｂｐｓ］で通信を行う場合、移動局１１は、自身が送信権を要求するフレームを送信したタイミングが図４（ｂ）又は（ｃ）のタイミングのいずれであるかがわからないので、通信チャネルへ移行したときの送信タイミングを判別することができないという問題がある。
【００１９】
本発明の目的は、このような従来技術の問題点に鑑み、移動通信システムにおいて、制御チャンネルの通信モードと、通信チャンネルの通信モードとが異なることに起因して、通信チャネルへ移行したときの送信タイミングが不明となるのを防止することにある。
【課題を解決するための手段】
【００２０】
本発明の通信システムは、複数の移動局と、各移動局間の通信を中継し、各移動局の送信権を管理する基地局とを備え、各移動局及び基地局間の通信は、第１の伝送速度による制御チャネル及び前記第１の伝送速度とは異なる第２の伝送速度による通信チャネルを介して所定のフレームを同期させながら無線により送受することにより行われ、前記送信権の要求及び付与は前記制御チャネルを介してランダムアクセスにより行われ、各移動局間の通信は前記通信チャネルを介して行われる通信システムであって、前記第１伝送速度は前記第２伝送速度の整数倍であり、前記制御チャネルのフレームはスーパーフレームを構成しており、前記スーパーフレームを構成するフレーム数は前記整数の整数倍であり、前記移動局は、前記スーパーフレームを構成する各フレームを受信する毎に、各フレームの前記スーパーフレームにおける順番をカウントしており、前記移動局は、ランダムアクセスによる前記送信権を要求するフレームを前記制御チャネルを介して前記基地局に送信し、前記基地局はこれに応答して前記基地局が送信した該要求を許可するフレームを受信し、前記移動局はさらに、前記該要求を許可するフレームを受信すると、、前記スーパーフレームのカウント値に基づき、前記通信チャネルにおけるフレームの送信タイミングを認識し、該タイミングにおいて、前記通信チャネルにおけるフレームの送信を行うことを特徴とする。
【００２１】
本発明の移動局装置は、所定の基地局との間で第１の伝送速度による制御チャネル及び前記第１の伝送速度とは異なる第２の伝送速度による通信チャネルを介して所定のフレームを同期させながら送受する無線通信手段を備え、前記制御チャネルを介して前記基地局から送信権を取得するとともに、前記通信チャネルを介して他の移動局との間の通信が前記基地局により中継される移動局装置であって、前記第１伝送速度は前記第２伝送速度の整数倍であり、前記制御チャネルのフレームはスーパーフレームを構成しており、前記スーパーフレームを構成するフレーム数は前記整数の整数倍であり、移動局装置は、前記スーパーフレームを構成する各フレームを受信する毎に、各フレームの前記スーパーフレームにおける順番をカウントしており、移動局装置は、ランダムアクセスによる前記送信権を要求するフレームを前記制御チャネルを介して前記基地局に送信し、これに応答して前記基地局が送信した該要求を許可するフレームを受信し、その後、前記スーパーフレームのカウント値に基づき、前記通信チャネルにおけるフレームの送信タイミングを認識し、該タイミングにおいて、前記通信チャネルにおけるフレームの送信を行うことを特徴とする。
【００２２】
本発明の通信方法は、複数の移動局と、各移動局間の通信を中継し、各移動局の送信権を管理する基地局とを備え、各移動局及び基地局間の通信は、第１の伝送速度による制御チャネル及び前記第１の伝送速度とは異なる第２の伝送速度による通信チャネルを介して所定のフレームを同期させながら無線により送受することにより行われ、前記送信権の要求及び付与は前記制御チャネルを介してランダムアクセスにより行われ、各移動局間の通信は前記通信チャネルを介して行われる通信システムにおける通信方法であって、前記第１伝送速度は前記第２伝送速度の整数倍であり、前記制御チャネルのフレームはスーパーフレームを構成しており、前記スーパーフレームを構成するフレーム数は前記整数の整数倍であり、前記移動局は、前記スーパーフレームを構成する各フレームを受信する毎に、各フレームの前記スーパーフレームにおける順番をカウントしており、前記移動局がランダムアクセスによる前記送信権を要求するフレームを前記制御チャネルを介して前記基地局に送信し、前記基地局がこれに応答して前記基地局が送信した該要求を許可するフレームを受信し、前記移動局がさらに、前記該要求を許可するフレームを受信すると、前記スーパーフレームのカウント値に基づき、前記通信チャネルにおけるフレームの送信タイミングを認識し、該タイミングにおいて、前記通信チャネルにおけるフレームの送信を行うことを特徴とする。
【発明の効果】
【００２８】
本発明によれば、通信チャネルへ移行してからフレームの送信を行うタイミングを、通信チャネルにおける適正なタイミングとなるように補正するタイミング補正手段を設けるようにしたため、制御チャンネル及び通信チャンネルの通信モードとが異なることに起因して、通信チャネルへ移行したときの送信タイミングが不明となるのを防止し、通信チャネルへの移行後、適正なタイミングでフレームの送信を行うことができる。
【発明を実施するための最良の形態】
【００２９】
図１（ａ）及び（ｂ）はそれぞれ本発明の一実施形態に係る移動通信システムを示す。同図に示すように、この通信システムは、車両や作業者に付随してそれぞれ移動する複数の移動局１１、及び所定数の無線チャネルを各移動局１１により共用可能とするための制御情報を各移動局１１に送信し、各移動局１１を管理する基地局１２を備える。基地局１２は各移動局１１間の通信を中継し、各移動局１１の送信権を管理する。各移動局１１及び基地局１２は、各移動局１１及び基地局１２間の通信を、伝送速度が異なる制御チャネル及び通信チャネルを介して所定のフレームを同期させながら無線で送受することにより行うための無線通信手段を備える。送信権の要求及び付与は制御チャネルを介してランダムアクセスにより行われ、各移動局１１間の通信は通信チャネルを介して行われる。
【００３０】
同図（ａ）においては、基地局１２が制御チャネルの伝送速度を４８００［ｂｐｓ］とし、通信チャネルの伝送速度を９６００ｓ［ｂｐｓ］として、制御チャネル及び通信チャネルを管理している場合を示している。同図（ｂ）においては、基地局１２が制御チャネルの伝送速度を９６００［ｂｐｓ］とし、通信チャネルの伝送速度を４８００［ｂｐｓ］として、制御チャネル及び通信チャネルを管理している場合を示している。
【００３１】
図２は図１の通信システムにおける通信フレームのフォーマットを示す。同図に示すように、フレームの先頭は同期ワード、その後がチャネル識別情報のフィールド、そしてその後が制御情報等のフィールドとなっている。同期ワードは基地局１２及び移動局１１間の通信におけるフレームの同期を確立するために用いられる。チャネル識別情報フィールドは、そのフレームが制御チャネルのフレームであるか又は通信チャネルのフレームであるかを示す無線チャネル識別エリア、及びどの機能チャネルを使用するかを示す機能チャネル識別エリアにより構成される。本実施形態においては、無線チャネル識別エリアは制御チャネルが４８００［ｂｐｓ］又は９６００［ｂｐｓ］のいずれであるかを示す。機能チャネル識別エリアには、それが下り共通制御チャネルを示す場合において、新たにタイミング識別エリアを配置し、次表のとおりの設定を可能としている。
【表１】
0005050837.tif 000002
【００３２】
すなわち、タイミング識別エリアが「０」の場合、無線チャネル識別エリアによって示される制御チャネルが４８００［ｂｐｓ］であれば、図４（ａ）のように、移動局１１における制御チャネルのフレームの受信タイミングは、基地局１２における制御チャネルのフレーム４１や４３のタイミングに一致することを示し、制御チャネルが９６００［ｂｐｓ］であれば、図４（ｂ）のように、移動局１１における制御チャネルのフレームの受信タイミングは、基地局１２における制御チャネルの後半のフレーム４６や４８のタイミングに一致することを示す。また、タイミング識別エリアが「０」の場合、制御チャネルが４８００［ｂｐｓ］に対する設定はなく、制御チャネルが９６００［ｂｐｓ］であれば、図４（ｃ）のように、移動局１１における制御チャネルのフレームの受信タイミングは、基地局１２における制御チャネルの前半のフレーム５１や５３のタイミングに一致することを示す。
【００３３】
この構成において、ランダムアクセス時のタイミングは、図４（ａ）〜（ｃ）に示すとおりであり、ランダムアクセスは図４を用いて上述した手順に従って行われる。つまり図１（ａ）の構成の場合におけるランダムアクセスは図４（ａ）のタイミングに従って行われ、図１（ｂ）の構成の場合におけるランダムアクセスは、図４（ｂ）又は（ｃ）のタイミングに従って行われる。
【００３４】
その際、基地局１２は、移動局１１からの送信権を要求する要求フレームに応じてどの通信チャネルで通信することを許可するかを示す許可フレームを送信するとき、制御チャネルが４８００［ｂｐｓ］の場合には、該許可フレームにおけるタイミング識別エリアを「０」として送信する。この許可フレームは、図４（ａ）におけるフレーム４３である。制御チャネルが９６００［ｂｐｓ］の場合には、９６００［ｂｐｓ］の要求フレームが４８００［ｂｐｓ］のフレーム区間の後半に配置されているときには、許可フレームにおけるタイミング識別エリアを「０」として送信する。この許可フレームは、図４（ｂ）におけるフレーム４８である。前半に配置されているときには許可フレームにおけるタイミング識別エリアを「１」に設定して送信する。この許可フレームは、図４（ｃ）におけるフレーム５３である。
【００３５】
なお、制御チャネルと通信チャネルとで異なる通信モードではない場合、タイミング識別アリアの設定は、通信モードが４８００［ｂｐｓ］のときには「０」とする。９６００［ｂｐｓ］のときには「０」でもよいし、「１」でもよい。特に規定しないものとする。
【００３６】
移動局１１は、制御チャネルにおいて、許可フレームを受信した場合、そのタイミング識別エリアを調べることによって、通信チャネルにおける送信タイミングを認識することができる。すなわち４８００［ｂｐｓ］の制御チャネルにおいて許可フレームを受信した場合に、そのタイミング識別エリアが「０」であれば、図４（ａ）に示すように、制御チャネルにおけるタイミングを維持し、許可フレーム４３を受信したタイミングから４０［ｍｓ］後に通信チャネルにおけるフレーム４４の送信を開始する。
【００３７】
一方、９６００［ｂｐｓ］の制御チャネルにおいて許可フレームを受信した場合に、そのタイミング識別エリアが「０」であれば、図４（ｂ）に示すように、制御チャネルにおけるタイミングを維持し、許可フレーム４８を受信したタイミングから４０［ｍｓ］後に通信チャネルにおけるフレーム４９の送信を開始する。また、９６００［ｂｐｓ］の制御チャネルにおいて許可フレームを受信した場合に、タイミング識別エリアが「１」であれば、図４（ｃ）に示すように、許可フレーム５３を受信したタイミングから８０［ｍｓ］後に通信チャネルにおけるフレーム５４の送信を開始する。これにより、移動局１１は、許可フレームの受信タイミングに関係なく常に、適正なタイミングで通信チャネルにおける送信を開始することができる。
【００３８】
以上説明したように、本実施形態によれば、移動局１１が制御チャネルにおいて９６００［ｂｐｓ］でランダムアクセスを行い、通信チャネルにおいて４８００［ｂｐｓ］で通信を行う場合において、ランダムアクセスに使用されたフレームが通信チャネルのフレーム区間における前半又は後半のいずれに配置されたものであるかを示す情報を通信チャネル許可フレームに含めるようにしたため、移動局１１は常に適正なタイミングで通信チャネルにおけるフレームの送信を行うことができる。
【００３９】
次に、本発明の別の実施形態に係る移動通信システムついて説明する。このシステムの構成図及びフレームのタイミングチャートとしては図１及び図４をそのまま適用することができる。すなわち、この場合においても、制御チャネル及び通信チャネルの伝送速度が異なり、一方の伝送速度が９６００「ｂｐｓ」で、他方の伝送速度が４８００［ｂｐｓ］であり、ランダムアクセス時のフレームのタイミングとして、図４（ａ）〜（ｃ）の場合がある。したがって、この場合も、移動局１１が制御チャネルにおいて９６００［ｂｐｓ］でランダムアクセスを行い、通信チャネルにおいて４８００［ｂｐｓ］で通信を行うときに、図４（ｂ）及び（ｃ）で示されるような、通信チャネルへの移行時におけるタイミングのずれが生じる場合がある。これを回避するため、本実施形態においては、上述表１のタイミング識別エリアによる情報を用いる代わりに、スーパーフレームのカウント情報を用いるようにしている。
【００４０】
すなわち、この移動通信システムにおいては、所定数のフレームによりスーパーフレームが構成されている。移動局１１は、制御チャネルにおいてスーパーフレームを受信する際に、それに含まれる各フレームについて、その先頭のフレームからフレームの順番をカウントするようにしている。そこで、この通信システムにおいては、ランダムアクセスに際し、移動局１１が、先頭フレームの順番を１番目とした場合に奇数番目又は偶数番目のいずれのフレームを制御チャネルにおいて受信するかに応じて、移動局１１自身が通信チャネル上での送信タイミングを切り替えるようにしている。
【００４１】
すなわち、移動局１１は制御チャネルにおいて偶数番目のフレームを受信し、ランダムアクセスを行う際には、通信チャネルにおいて送信するタイミングは、図４（ｂ）のとおり、通信チャネルでの送信を許可する許可フレーム４８を受信してから４０［ｍｓ］後に通信チャンネルにおけるフレームの送信を行う。一方、制御チャネルにおいて奇数番目のフレームを受信してランダムアクセスを行う場合には、図４（ｃ）のとおり、許可フレーム５３を受信してから８０［ｍｓ］後に、通信チャネルにおけるフレームの送信を行う。
【００４２】
ただし、これによって通信チャネルにおけるフレームの送信タイミングを常に適正なものとするためには、スーパーフレームを構成するフレームの数を偶数にする必要がある。奇数であると、各スーパーフレームにおける同一番目のフレームについての、通信チャネルのフレーム区間における配置が、スーパーフレーム毎に異なるからである。また基地局１２は、移動局１１のランダムアクセスの送信フレームを受信した後、４０ｍｓ後に移動局１１に対して送信することが必要である。なお、制御チャネルにおける伝送速度が、通信チャネルにおける伝送速度の整数倍である場合には、スーパーフレームを構成するフレーム数を該整数の整数倍とすればよい。
【００４３】
本実施形態によれば、移動局１１が９６００［ｂｐｓ］の制御チャネルでランダムアクセスを行い、４８００［ｂｐｓ］の通信チャネルで通信を行う場合において、移動局１１自身が、ランダムアクセスに使用されたフレームがスーパーフレームにおける奇数番目又は偶数番目であるかに基づいて通信チャネルのフレーム区間における前半又は後半のいずれに配置されたものであるかを認識し、通信チャネルにおけるフレームの送信を行うようにしたため、フレームのフォーマットを変更する必要なく、常に適正なタイミングで通信チャネルにおけるフレームの送信を行うことができる。
【００４４】
なお、本発明は上述実施形態に限定されることなく、適宜変形して実施することができる。たとえば、上述においては、通信チャネルの伝送速度が４８００［ｂｐｓ］で、制御チャネルの伝送速度がその２倍の９６００［ｂｐｓ］である場合に通信チャネルへの適切な移行を図る例について説明したが、伝送速度や伝送速度の比率はこの例に限られることはない。たとえば、通信チャネルの伝送速度が１２００［ｂｐｓ］で、制御チャネルの伝送速度がその整数倍の９６００［ｂｐｓ］である場合等においても本発明を適用することができる。
【図面の簡単な説明】
【００４５】
【図１】本発明の一実施形態に係る移動通信システムを示すブロック図である。
【図２】図１の通信システムにおける通信フレームのフォーマットを示す図である。
【図３】従来の移動通信システムの構成例を示すブロック図である。
【図４】図１の移動通信システムにおけるランダムアクセス時のフレームのタイミングを示す図である。
【図５】図３の移動通信システムにおけるランダムアクセス時のフレームのタイミングを示す図である。
【符号の説明】
【００４６】
１１，３１：移動局、１２，３２：基地局、４１〜５８：フレーム。
【図１】
0005050837.tif 000003
【図２】
0005050837.tif 000004
【図３】
0005050837.tif 000005
【図４】
0005050837.tif 000006
【図５】
0005050837.tif 000007